(57)【要約】【課題】本発明は、マウスポインタの位置精度を上げた状態でデスクトップ上の広い範囲に亘ってマウスポインタを容易かつ迅速に移動（位置合わせ）操作できる機能を実現した情報処理装置およびマウスポインタの操作方法を提供することを課題とする。【解決手段】副表示装置１１２に、主表示装置１２１に表示される主操作画面を含むデスクトップ全体の画面イメージをマウスポインタの位置をタッチ操作で指示する操作画面として表示することで、マウスポインタの位置精度を上げた状態で、デスクトップ上の広い範囲に亘ってマウスポインタを容易かつ迅速に移動（位置合わせ）操作できる。【選択図】    図１
2004234504.tif 000002
【特許請求の範囲】
【請求項１】
ポインタを用いた操作が可能な画面を表示する第１の表示装置と、
第２の表示装置と、
前記第２の表示装置に前記ポインタの位置を指示する操作画面を表示する制御手段とを具備し、
前記制御手段は、前記操作画面を用いた操作で指示された位置に前記ポインタを設定することを特徴とする情報処理装置。
【請求項２】
前記制御手段は、前記ポインタの移動先が前記第１の表示装置に表示されている被操作画面の表示範囲外であるとき、前記第１の表示装置に表示されている画面の表示範囲を仮想画面の範囲内で前記ポインタの移動先に合わせて切り替える請求項１記載の情報処理装置。
【請求項３】
前記制御手段は、前記操作画面上で指示された位置に前記ポインタを設定した後、前記第２の表示装置を前記操作画面を表示する以前の状態に戻す請求項１記載の情報処理装置。
【請求項４】
前記第２の表示装置は、切り替え機構を有し、前記制御手段は、前記第２の表示装置に前記操作画面を表示している状態で、前記切り替え機構が操作されたとき、前記第２の表示装置を前記操作画面を表示する以前の状態に戻す請求項１記載の情報処理装置。
【請求項５】
前記制御手段は、前記ポインタの移動先が前記第１の表示装置に表示されている画面の表示範囲外であるとき、前記仮想画面と前記ポインタの移動先との相対位置をもとに前記第１の表示装置に表示される画面の表示範囲を設定する請求項２記載の情報処理装置。
【請求項６】
前記制御手段は、前記ポインタの移動先が前記第１の表示装置に表示されている画面の表示範囲外であるとき、前記ポインタが移動する以前の前記第１の表示装置に表示された画面と前記ポインタとの相対位置関係を保つように、前記第１の表示装置に表示される画面の表示範囲を設定する請求項２記載の情報処理装置。
【請求項７】
前記制御手段は、前記ポインタの移動先が前記第１の表示装置に表示されている画面の表示範囲外であるとき、前記ポインタが前記第１の表示装置に表示される画面の定位置に表示されるように、前記第１の表示装置に表示される画面の表示範囲を設定する請求項２記載の情報処理装置。
【請求項８】
前記制御手段は、前記仮想画面内に於ける前記第１の表示装置に表示された画面の領域と当該領域内に於けるポインタの位置とを明示した仮想画面のイメージを操作画面として前記第２の表示装置に表示する請求項２記載の情報処理装置。
【請求項９】
第１の表示装置にポインタを用いた操作が可能な画面を表示し、
第２の表示装置に、前記第１の表示装置に表示された画面のイメージ若しくは前記第１の表示装置に表示された画面を含む仮想画面のイメージを操作画面として表示し、
前記第２の表示装置に表示された操作画面を用いた操作で指示された位置に前記ポインタを移動させることを特徴とするポインタの操作方法。
【請求項１０】
前記ポインタの移動先が前記第１の表示装置に表示されている画面の表示範囲外であるとき、前記前記第１の表示装置に表示される画面の表示範囲を仮想画面の範囲内で前記ポインタの移動先に合わせて切り替える請求項９記載のポインタの操作方法。
【請求項１１】
前記操作画面を用いて指示された位置に前記ポインタを設定した後、前記第２の表示装置を前記操作画面を表示する以前の状態に戻す請求項９記載のポインタの操作方法。
【請求項１２】
前記第２の表示装置は切り替え機構を有し、前記第２の表示装置に前記操作画面が表示されている状態で、前記切り替え機構が操作されたとき、前記第２の表示装置を前記操作画面を表示する以前の状態に戻す請求項９記載のポインタの操作方法。
【請求項１３】
前記ポインタの移動先が前記第１の表示装置に表示されている画面の表示範囲外であるとき、前記仮想画面と前記ポインタの移動先との相対位置をもとに前記第１の表示装置に表示される画面の表示範囲を設定する請求項１０記載のポインタの操作方法。
【請求項１４】
前記ポインタの移動先が前記第１の表示装置に表示されている画面の表示範囲外であるとき、前記ポインタが移動する以前の前記第１の表示装置に表示された画面と前記ポインタとの相対位置関係を保つように、前記第１の表示装置に表示される画面の表示範囲を設定する請求項１０記載のポインタの操作方法。
【請求項１５】
前記ポインタの移動先が前記第１の表示装置に表示されている画面の表示範囲外であるとき、前記ポインタが前記第１の表示装置に表示される画面の定位置に表示されるように、前記第１の表示装置に表示される画面の表示範囲を設定する請求項１０記載のポインタの操作方法。
【請求項１６】
前記仮想画面内に於ける前記第１の表示装置に表示された画面の領域と当該領域内に於けるポインタの位置とを明示した仮想画面のイメージを操作画面として前記第２の表示装置に表示する請求項１０記載のポインタの操作方法。
【発明の詳細な説明】
【０００１】
【発明の属する技術分野】
本発明は、ポインタを用いた操作が可能な操作画面を表示する表示装置を備えた情報処理装置およびポインタの操作方法に関する。
【０００２】
【従来の技術】
近年、ノートブックタイプまたはラップトップタイプの携帯型パーソナルコンピュータに於いては、例えばマウスポインティング操作、テンキー入力操作等を可能にしたポインティング装置が設けられている（例えば、特許文献１参照）。
【０００３】
この種、従来のパーソナルコンピュータに於いては、実表示画面上、若しくは仮想画面上の所望する位置にマウスポインタを移動させる際、従来では、そのポインタ操作を、タッチパッド上での摺動操作、マウスの移動操作、トラックボールの転がし操作、キーボードのカーソルキー操作等により行っていた。
【０００４】
【特許文献１】
特開２０００−３３９０９７
【０００５】
【発明が解決しようとする課題】
上述した従来のこの種マウスポインタ操作手段は、その操作範囲が限られた狭い範囲の中では有効に機能するが、例えば移動量のピッチを細かく設定した状態で画面上の広い範囲を対象にマウスポインタを移動操作する際は、上記した操作デバイスを複数回に亘り繰り返し操作する必要があり、操作性に問題がある。この際、マウスポインタの移動スピードを速め（移動量のピッチを細かく設定し）、デバイス操作に対するポインタの移動距離を大きく設定することで、上記操作回数を軽減できるが、マウスポインタの指定による細かい作業に対してその操作性が著しく悪くなってしまうという問題がある。また、表示装置にデスクトップの一部分のみが表示され、マウスポインタを合わせる位置が表示装置に表示されていない状態にあるときは、上記操作に加えて、マウスポインタを合わせる位置を表示させるためのパニング操作（実表示画面上に表示される表示範囲を仮想画面内で移動させる操作）が必要となり、操作性が更に悪くなってしまうという問題がある。
【０００６】
本発明は上記実情に鑑みなされたもので、ポインタの位置精度を上げた状態でデスクトップ上の広い範囲に亘ってポインタを容易かつ迅速に移動（位置合わせ）操作できる機能を実現した情報処理装置およびポインタの操作方法を提供することを目的とする。
【０００７】
【課題を解決するための手段】
本発明は、上述した、ポインティング装置に、表示パネルを一体に組み込んだポインティング装置を用い、このポインティング装置を機器本体、またはキーボード筐体等に設けて、上記ポインティング装置の表示パネル上に、例えば上述した仮想画面（デスクトップ全体画面）の簡易イメージを表示し、上記表示パネルに表示された仮想画面の簡易イメージでポインティング操作を行うことで、その操作が装置本体の表示装置の表示画面に反映される構成としたことを特徴とする。
【０００８】
即ち、本発明は、パーソナルコンピュータ等の情報処理装置に於いて、ポインタを用いた操作が可能な画面を表示する第１の表示装置と、第２の表示装置と、上記第２の表示装置に上記ポインタの位置をタッチ操作で指示する操作画面を表示する制御手段とを具備し、上記制御手段は、上記操作画面上で指示された位置に上記ポインタを設定することを特徴とする。
【０００９】
上記情報処理装置に於いて、上記第２の表示装置に、上記第１の表示装置に表示される画面全体のイメージ、若しくは上記第１の表示装置の表示範囲を超える仮想画面の画面イメージを操作画面として表示することで、ポインタの位置精度を上げた状態でデスクトップ上の広い範囲に亘ってポインタを容易かつ迅速に移動（位置合わせ）操作できる。
【００１０】
また、上記ポインタの移動先が上記第１の表示装置に表示されている画面の表示範囲外であるとき、上記ポインタが移動する以前の上記第１の表示装置に表示された操作画面と上記ポインタとの相対位置関係を保つように、上記仮想画面と上記ポインタの移動先との相対位置をもとに上記第１の表示装置に表示される操作画面の表示範囲を設定することによって、前記第１の表示装置に表示される画面の表示範囲が切り替わっても当該画面上でのポインタ位置を容易に認識でき、ポインタの位置合わせ操作をより容易かつ迅速に行うことができる。
【００１１】
さらに、上記第１の表示装置に表示された画面の表示範囲と当該画面上のポインタの位置を明示した仮想画面のイメージを操作画面として上記第２の表示装置に表示することによって、ポインタの位置合わせ操作をより容易かつ迅速に行うことができる。
【００１２】
【発明の実施の形態】
以下、図面を参照して本発明の実施形態を説明する。
【００１３】
図１は本発明の実施形態に於ける情報処理装置の外観構成を示す斜視図であり、ここでは、ノートブック型パーソナルコンピュータを例に示している。
【００１４】
この図１に示す、本発明の実施形態によるコンピュータは、コンピュータ本体１１と、ディスプレイユニット１２とから構成されている。ディスプレイユニット１２には、ＬＣＤからなる主表示装置１２１が組み込まれている。このディスプレイユニット１２は、コンピュータ本体１１に対して解放位置と閉塞位置との間を回動自在に取り付けられている。コンピュータ本体１１は薄い箱形の筐体を有しており、その筐体上面には、コンピュータ本体１１の電源をオン／オフするためのパワーボタン１１４、キーボード１１１等が配置され、キーボード１１１の手前の筐体部分上面にはアームレストが形成されている。このアームレストのほぼ中央部には、タッチスクリーン機能を有する副表示装置（ｃＰａｄデバイス）１１２が設けられる。この副表示装置１１２は、上記主表示装置１２１より表示面が小さいＬＣＤ等の表示パネルとダブレットとを一体に設けた表示一体型のポインティングデバイスを構成するもので、レフト（左）ボタン１１３ａ、ライト（右）ボタン１１３ｂ、およびミドル（中）ボタン１１３ｃとともに上記アームレストを形成する筐体上面に配置されている。
【００１５】
図２は上記図１に示したコンピュータのシステム構成を示すブロック図である。このコンピュータには、図示するように、ＣＰＵ２０１、ホストブリッジ２０２、主メモリ２０３、グラフィクスコントローラ２０４、ＰＣＩ−ＩＳＡブリッジ２０６、Ｉ／Ｏコントローラ２０７、ハードディスクドライブ（ＨＤＤ）２０８、ＣＤ−ＲＯＭドライブ２０９、ＵＳＢコントローラ２１０、エンベデッドコントローラ／キーボードコントローラＩＣ（ＥＣ／ＫＢＣ）２１１、および電源コントローラ２１３等が設けられている。
【００１６】
ＵＳＢコントローラ２１０には、上記した副表示装置（サブディスプレイ）１１２が接続されている。この副表示装置１１２は、タッチパッド１１２ａと、表示部１１２ｂと、バックライト１１２ｃとが一体化されてタッチスクリーン機能を実現し、レフト（左）ボタン１１３ａ、ライト（右）ボタン１１３ｂ、およびミドル（中）ボタン１１３ｃを含んで構成される。
【００１７】
ＣＰＵ２０１は、本コンピュータの動作を制御するために設けられたもので、ハードディスクドライブ（ＨＤＤ）２０８から主メモリ２０３にロードされたオペレーティングシステム（ＯＳ）、およびアプリケーションプログラム、ユーティリティプログラム等を実行する。この実施形態では、上記副表示装置１１２の制御プログラム（図３参照）およびマウスドライバと連繋して後述する図５に示すような副表示装置１１２上での１タッチ操作によるマウスポインタの位置合わせ処理機能を実現する入出力プログラムの処理を実行する。
【００１８】
ホストブリッジ２０２はＣＰＵ２０１のローカルバスとＰＣＩバス１との間を双方向で接続するブリッジデバイスである。グラフィクスコントローラ２０４はビデオＲＡＭ（ＶＲＡＭ）を備え、専用ディスプレイドライバの制御の下に本コンピュータのディスプレイモニタとして使用される主表示装置１２１を制御する。Ｉ／Ｏコントローラ２０７はハードディスクドライブ（ＨＤＤ）２０８、ＣＤ−ＲＯＭドライブ２０９等を制御する。ＰＣＩ−ＩＳＡブリッジ２０６はＰＣＩバス１とＩＳＡバス２を双方向で接続するブリッジデバイスであり、ここには例えばシステムタイマ、ＤＭＡコントローラ、割り込みコントローラなどの各種システムデバイスも内蔵されている。
【００１９】
エンベデッドコントローラ／キーボードコントローラＩＣ（ＥＣ／ＫＢＣ）２１１は、電力管理のためのエンベデッドコントローラ（ＥＣ）とキーボード１１１を制御するためのキーボードコントローラ（ＫＢＣ）とが集積された１チップマイクロコンピュータである。このエンベデッドコントローラ／キーボードコントローラＩＣ（ＥＣ／ＫＢＣ）２１１は、電源コントローラ２１３と協同して、ユーザによるパワーボタン１１４の操作に応じて本コンピュータをパワーオン／パワーオフする機能を有している。
【００２０】
図３は本発明の実施形態に於ける副表示装置１１２の機能構成要素を示す図であり、ここでは、副表示装置１１２の機能を設定する設定テーブル３０１、設定テーブル３０１の内容に従い副表示装置１１２の機能制御を行う制御プログラム３０２、副表示装置１１２と制御プログラム３０２との間でやり取りされる情報の入出力を制御を行うインターフェース３０３、ＧＵＩにより設定テーブル３０１を作成する設定プログラム３１１、制御プログラム３０２の指示に従い各種の処理を実行する実行手段３１２、および副表示装置１１２を構成要素としている。この実施形態では、上記実行手段３１２が、ミドルボタン１１３ｃの操作に伴い、副表示装置１１２の機能を、マウス設定プログラムの制御に従うポインティング機能、即ち副表示装置１１２上で指を摺動させることで主表示装置１２１上のマウスポインタを移動可能なポインティング操作入力モード（デフォルトモード）と、仮想画面上での１タッチ操作によるマウスポインタの位置合わせ機能（マウスポインタタッチ操作入力モード）とを切り替える（図５参照）。
【００２１】
図４は、上記実施形態に於ける、コンピュータ本体１１で扱う仮想画面と、実表示画面との関係を示す図である。尚、この実施形態では、主表示装置１２１に表示される、主操作画面領域を含んだデスクトップ全体画面を仮想画面若しくは仮想スクリーンと称し、主表示装置１２１に現在表示されている実表示画面を主操作画面と処している。
【００２２】
コンピュータ本体１１に設けられた、ディスプレイユニット１２には、本コンピュータのディスプレイモニタとして使用される、ＬＣＤからなるディスプレイスクリーン（メインディスプレイ）１２１が組み込まれている。
【００２３】
この主表示装置１２１には、仮想画面（仮想スクリーン）４０１上に割り当てられた表示エリア４０２内の画面イメージが主操作画面として表示される。この際の表示エリア４０２のサイズ（解像度）は、主表示装置１２１の表示画面（実表示画面）のサイズ（解像度）と同じである。すなわち、仮想スクリーン４０１全体の画面イメージのうち、表示エリア４０２内の画面イメージのみが主操作画面として主表示装置１２１に表示される。この意味で、表示エリア４０２内の画面イメージは、主表示装置１２１の実表示画面の画面イメージであるということができる。表示エリア４０２の位置は、図４の点線で示すように、パニング操作で、仮想スクリーン４０１内の任意の位置および範囲に設定することができる。この実施形態では、副表示装置１１２を用いた仮想画面上での１タッチ操作によるマウスポインタの位置合わせ操作時に於いて、マウスポインタの移動先（位置合わせ先）が主表示装置１２１に表示されている主操作画面の表示範囲外であるとき、入出力プログラム制御の下にパニング処理が行われる。この実施形態では、マウスポインタが移動する以前の主操作画面とマウスポインタとの相対位置関係を保つように、仮想画面とマウスポインタの移動先との相対位置をもとに、主操作画面の表示範囲を設定するパニング処理が行われる。これによって、主操作画面の表示範囲が切り替わっても（パニングしても）当該画面上でのマウスポインタ位置を容易に認識でき、マウスポインタの位置合わせ操作をより容易かつ迅速に行うことができる。
【００２４】
図５は本発明の実施形態に於ける操作処理手順を示すフローチャートであり、副表示装置１１２の制御プログラム３０２とマウスドライバと入出力制御プログラムとの連繋処理により実現される。この処理では、副表示装置１１２を用いた仮想画面上での１タッチ操作によるマウスポインタの位置合わせ機能を実現するもので、ここでは一例として副表示装置１１がポインティング操作入力モードにあるとき、副表示装置１１２に設けられたミドルボタン１１３ｃを操作することにより、副表示装置１１２を用いた仮想画面上での１タッチ操作によるマウスポインタの位置合わせ機能を実現するマウスポインタタッチ操作入力モードに切り替わる。
【００２５】
図６および図７はそれぞれ本発明の実施形態に於けるマウスポインタの位置合わせ操作を説明するための図である。図６は副表示装置１１２上での操作例を示し、図７はその操作に伴う仮想画面（仮想スクリーン）上での主操作画面の表示遷移を示している。
【００２６】
図６に於いては、副表示装置１１２が、マウス設定プログラムの制御に従う通常のポインティング機能、即ち副表示装置１１２上で指を摺動させることで主表示装置１２１上のマウスポインタを移動可能なポインティング操作入力モード（デフォルトモード）にある際に、図（ａ）に示すように、副表示装置１１２に設けられたミドルボタン１１３ｃを操作すると、副表示装置１１２が仮想画面上での１タッチ操作によるマウスポインタの位置合わせ機能（マウスポインタタッチ操作入力モード）に切り替わり、図（ｂ）に示すように、副表示装置１１２に仮想画面のイメージが表示される。この実施形態では、マウスポインタの移動（位置合わせ）前に主表示装置１２１に表示されている主操作画面の領域（数値１を囲ったエリア）６５と、当該領域６５内に於けるマウスポインタ６６の位置とを明示した仮想画面のイメージを副表示装置１１２に表示する。この仮想画面のイメージ表示状態下に於いて、指タッチ操作により、ある一点をタッチ操作することにより、マウスポインタの移動先（位置合わせ先）を指示できる。この際のタッチ操作位置（マウスポインタの移動先指示位置）の一例を図６に符号ＴＰで示している。
【００２７】
図７に於いては、上記図６に示すマウスポインタの位置合わせ操作（タッチ操作）で、主表示装置１２１に表示されている表示範囲を超えた仮想画面空間上が指示された際の主表示装置１２１の表示遷移例を示している。この実施形態では、マウスポインタの移動先が上記主表示装置に表示されている主操作画面の表示範囲外であるとき、上記マウスポインタが移動する以前の上記主操作画面と上記マウスポインタとの相対位置関係を保つように、上記仮想画面と上記マウスポインタの移動先との相対位置をもとに上記主操作画面の表示範囲を設定する処理で、主表示装置１２１に表示される主操作画面上でのマウスポインタの表示位置が設定（決定）される。
【００２８】
ここで、上記各図を参照して本発明の実施形態に於ける動作を説明する。
【００２９】
システムの起動後に於いては、副表示装置１１２が、マウス設定プログラムの制御に従う通常のポインティング機能、即ち副表示装置１１２上で指を摺動させることで主表示装置１２１上のマウスポインタを移動可能なポインティング操作入力モードとなっており、この際は、図６（ａ）に示すように、マウスポインティング操作画面として機能している（図５ステップＳ１０１）。
【００３０】
この状態で、副表示装置１１２に設けられたミドルボタン１１３ｃが操作されると（図５ステップＳ１０２  Ｙｅｓ，Ｓ１０３  Ｙｅｓ）、副表示装置１１２の動作モード（機能）が、図６（ａ）に示すポインティング操作入力モードから、図６（ｂ）に示すように、仮想画面（デスクトップ全体画面）上での１タッチ操作によるマウスポインタの位置合わせ機能を実現するマウスポインタタッチ操作入力モードに切り替わる（図５ステップＳ１０４）。この実施形態では、マウスポインタの位置合わせ前に主表示装置１２１に表示されている主操作画面の領域（数値１を囲ったエリア）６５と、当該主操作画面の領域６５内に於けるマウスポインタ６６の位置とを明示した仮想画面のイメージが副表示装置１１２に表示される。
【００３１】
この副表示装置１１２に仮想画面（デスクトップ全体画面）されている状態で、当該画面上のある一点がタッチ操作されると（図５ステップＳ１０５  Ｎｏ，Ｓ１０７  Ｙｅｓ）、そのタッチ操作位置（ＴＰ）が、副表示装置１１２に現在表示されている主操作画面の領域６５内（数値１を囲ったエリア内）である際（図５ステップＳ１０８  Ｙｅｓ）は、主表示装置１２１の表示範囲に変化は無く（パニング処理を行わずに）、主表示装置１２１に表示されているマウスポインタを上記指タッチ操作位置（ＴＰ）に従う移動先（位置合わせ先）に移す（図５ステップＳ１１０）。また、上記図６に示すマウスポインタの位置合わせ操作（タッチ操作）で、主表示装置１２１に表示されている表示範囲を超えた仮想画面空間上が指示された際、即ちマウスポインタの移動先（位置合わせ先）が、現在、主表示装置１２１に表示されている主操作画面の表示範囲外であるときは、上記マウスポインタが移動する以前の主操作画面とマウスポインタとの相対位置関係を保つように、仮想画面とマウスポインタの移動先との相対位置をもとに主操作画面の表示範囲を設定する処理により、主表示装置１２１に表示される主操作画面上でのマウスポインタの表示位置が設定される。ここで設定された主操作画面の表示範囲およびマウスポインタの表示位置に従い、主表示装置１２１に主操作画面とマウスポインタが表示される（図５ステップＳ１０９，Ｓ１１０）。この際の主表示装置１２１に表示される、仮想画面内での主操作画面の遷移例を図７に示している。
【００３２】
上記した副表示装置１１２上でのタッチ操作によるマウスポインタの位置合わせ後、再びミドルボタン１１３ｃが操作されると（図５ステップＳ１０５  Ｙｅｓ，Ｓ１０６  Ｙｅｓ）、副表示装置１１２の動作モード（機能）が、仮想画面上での１タッチ操作によるマウスポインタの位置合わせ機能を実現するマウスポインタタッチ操作入力モードから、上記した通常のポインティング操作入力モードに切り替わる（デフォルトモードに復帰する）。このように、ミドルボタン１１３ｃを操作する度に、上記した通常のポインティング操作入力モードと、マウスポインタタッチ操作入力モードとが交互に選択される。尚、上記通常のポインティング操作入力モード状態にあるとき、ミドル（中）ボタン１１３ｃ以外のボタンが操作された際は、そのボタンに予め定められた割り付けられた処理が実行される。尚、上記処理内で、ミドルボタン１１３ｃ以外のボタン（１１３ａ，１１３ｂ）が操作された際は、その操作されたボタン（１１３ａ，１１３ｂ）に割り付けられた機能の処理が実行される（図４ステップＳ１１１）。
【００３３】
このように、副表示装置１１２に、主表示装置１２１に表示される主操作画面を含むデスクトップ全体の画面イメージをマウスポインタの位置をタッチ操作で指示する操作画面として表示することで、マウスポインタの位置精度を上げた状態で、デスクトップ上の広い範囲に亘ってマウスポインタを容易かつ迅速に移動（位置合わせ）操作できる。
【００３４】
上記した実施形態では、副表示装置１１２に、主表示装置１２１に表示される主操作画面を含むデスクトップ全体の画面イメージをマウスポインタの位置をタッチ操作で指示する操作画面として表示しているが、例えば副表示装置１１２に、主表示装置１２１に表示される主操作画面全体のデスクトップ画面イメージをマウスポインタの位置をタッチ操作で指示する操作画面として表示する構成としてもよい。この際は、例えば主表示装置１２１に表示された主操作画面上に於いて、対向する端点の近傍間等、主操作画面上の離れた場所間でのマウスポインタの位置の合わせ操作に効果を発揮する。
【００３５】
また、上記実施形態では、上記副表示装置１１２の動作モード切り替え（通常のポインティング操作入力モード／マウスポインタタッチ操作入力モード）をミドル（中）ボタン１１３ｃの操作で行っているが、例えば、タッチ操作によるマウスポインタの位置合わせ処理終了後、自動的に通常のポインティング操作入力モードに戻す（デフォルトモードに復帰させる）ことも可能である。
【００３６】
また、上記実施形態では、マウスポインタの移動先（位置合わせ先）が、現在、主表示装置１２１に表示されている主操作画面の表示範囲外であるとき、上記マウスポインタが移動する以前の主操作画面とマウスポインタとの相対位置関係を保つように、仮想画面とマウスポインタの移動先との相対位置をもとに主操作画面の表示範囲を設定していたが、例えば、常に、主操作画面上の予め設めた位置（例えば中央、コーナー等）に表示することも可能である。
【００３７】
【発明の効果】
以上詳記したように本発明によれば、ポインタの位置精度を上げた状態でデスクトップ上の広い範囲に亘ってポインタを容易かつ迅速に移動（位置合わせ）操作できる。
【図面の簡単な説明】
【図１】本発明の実施形態に於ける情報処理装置の外観構成を示す斜視図。
【図２】上記実施形態に於けるコンピュータのシステム構成を示すブロック図。
【図３】上記実施形態に於ける副表示装置の機能構成要素を示す図。
【図４】上記実施形態に於ける仮想画面（デスクトップ全体画面）と実表示画面との関係を示す図。
【図５】上記実施形態に於ける操作処理手順を示すフローチャート。
【図６】上記実施形態に於けるマウスポインタの位置合わせ操作を説明するための副表示装置上での操作例を示す図。
【図７】上記実施形態に於けるマウスポインタの位置合わせ操作を説明するための仮想画面（仮想スクリーン）上での主操作画面の表示遷移を示す図。
【符号の説明】
１…ＰＣＩバス、２…ＩＳＡバス、１１…コンピュータ本体、１２…ディスプレイユニット、６５…副表示装置に表示された主操作画面のイメージ、６６…副表示装置にひひされたマウスポインタ、１１１…キーボード（ＫＢ）、１１２…副表示装置（ｃＰａｄデバイス）、１１２ａ…タッチパッド、１１２ｂ…表示部、１１２ｃ…バックライト、１１３ａ…レフトボタン、１１３ｂ…ライトボタン、１１３ｃ…ミドルボタン、１１４…パワーボタン、１２１…主表示装置（メインディスプレイ）、２０１…ＣＰＵ、２０２…ホストブリッジ、２０３…主メモリ、２０４…グラフィクスコントローラ、２０６…ＰＣＩ−ＩＳＡブリッジ、２０７…Ｉ／Ｏコントローラ、２０８…ハードディスクドライブ（ＨＤＤ）、２０９…ＣＤ−ＲＯＭドライブ、２１０…ＵＳＢコントローラ、２１１…エンベデッドコントローラ／キーボードコントローラＩＣ（ＥＣ／ＫＢＣ）、２１３…電源コントローラ、３０１…設定テーブル、３０２…制御プログラム、３０３…インターフェース、３１１…設定プログラム、３１２…実行手段、４０１…仮想画面（仮想スクリーン）、４０２…主操作画面となる表示エリア。
【図１】
2004234504.tif 000003
【図２】
2004234504.tif 000004
【図３】
2004234504.tif 000005
【図４】
2004234504.tif 000006
【図５】
2004234504.tif 000007
【図６】
2004234504.tif 000008
【図７】
2004234504.tif 000009